(57)【要約】【課題】デザイン性が高い鞄を提供すること。【解決手段】複数の細孔２６が設けられた外袋２０と、この外袋２０の内側に収容されるとともに、外袋２０の外部から細孔２６を通して視認される内部表示３１が施された内部表示体３０と、を備えたことを特徴とする鞄１。また、外袋２６の外面に外部表示２１が施されていることが好ましい。さらに内部表示３１は、外部表示３１に対応した領域と、外部表示２１から外れた領域とに設けられていることが好ましい。【選択図】図１
2011121598.tif 000002
【特許請求の範囲】
【請求項１】
複数の細孔が設けられた外袋と、
この外袋の内側に収容されるとともに、前記外袋の外部から前記細孔を通して視認される内部表示が施された内部表示体と、
を備えたことを特徴とする鞄。
【請求項２】
請求項１に記載の鞄において、
前記外袋の外面に外部表示が施されていることを特徴とする鞄。
【請求項３】
請求項２に記載の鞄において、
前記内部表示は、前記外部表示に対応した領域と、前記外部表示から外れた領域とに施されていることを特徴とする鞄。
【請求項４】
請求項１から請求項３までのいずれかに記載の鞄において、
前記内部表示体の上端側は、前記外袋の上端側が前記鞄の内側に向けて折り返されて形成される折り返し部によって覆われていることを特徴とする鞄。
【請求項５】
請求項１から請求項４までのいずれかに記載の鞄において、
前記外袋及び前記内部表示体の素材は不織布であることを特徴とする鞄。
【発明の詳細な説明】
【技術分野】
【０００１】
本発明は鞄に関する。
【背景技術】
【０００２】
店舗で商品を購入すると、商品を持って帰宅するまでに商品を収納しておくための鞄（ショッピングバッグ等）が、店舗事業者から購入者に対して与えられる。ショッピングバッグの外面には店舗のブランド名やイラスト、宣伝内容等の情報が表示されている。
また、コンサート、イベント等にて来場者がパンフレット、その他の物品を購入する場合にも、パンフレット等を収納しておくための鞄が、イベント等主催者から購入者に対して与えられる。このような鞄の外面にもイベント名、コンサート名、アーティスト名、ロゴマーク等の情報が表示されている。
【０００３】
商品購入者等がブランド名等の情報を表示したショッピングバッグ等の鞄を持ち歩けば、街中等では多くの人がこの情報を目にすることになるので、鞄の提供者（店舗事業者、主催者等）は、当該鞄を通じて、店舗名やブランド名の周知、宣伝を図ることが出来る。
そのため、近年、鞄の提供者は、街中等で人々の注目を集めることが出来るように、デザイン性を向上させた鞄を商品購入者に提供するようになっている。
また、デザイン性が高ければ、商品購入者は購入した商品を持ち帰った後も、日常生活において、購入した商品以外の物品を収納して街中等を持ち歩くこともあるので、鞄としての機能（耐久性、軽量性、収納性等）も兼ね備えたものも望まれている。
【０００４】
例えば、特許文献１には、不織布で作られた鞄が開示されている。この鞄の外面には刺繍でロゴマーク等が設けられている。不織布で袋が構成されているので、紙袋等の包装袋と比較して耐久性が向上しているとともに、ロゴマーク等が刺繍で施されているので、包装袋の外面に高級感、立体感のある表示を設けることが出来る。
【先行技術文献】
【特許文献】
【０００５】
【特許文献１】実用新案登録第３０９１３５７号公報
【発明の概要】
【発明が解決しようとする課題】
【０００６】
しかしながら、このような鞄では、鞄の外面にのみロゴマーク等の情報を表示することが出来るに止まるため、デザイン上、斬新さに欠けるという問題があった。
【０００７】
本発明の目的は、デザイン性が高い鞄を提供することにある。
【課題を解決するための手段】
【０００８】
本発明者は、このような課題を解決すべく鋭意検討を行った結果、鞄を、外袋と、この外袋に収容される内部表示体とで構成する二重構造とし、内部表示体に文字や模様等の情報を表示するとともに、外袋に複数の細孔を設け、内部表示体の外面に施した表示を視認することが出来るようにすれば、上記課題を解決することが出来ることを見出し、本発明を完成するに至った。
【０００９】
すなわち、本発明の鞄は、複数の細孔が設けられた外袋と、この外袋の内側に収容されるとともに、前記外袋の外部から前記細孔を通して視認される内部表示が施された内部表示体と、を備えたことを特徴とする。
この発明によれば、外袋の内側に収容された内部表示体に内部表示が施され、外袋には複数の細孔が設けられているので、内部表示は細孔を通して視認される。そのため、従来の鞄では表現することの出来なかった、奥行き感が表現されたデザイン性の高い鞄とすることが出来る。そして、本発明に係る鞄を持ち歩くことで、街中等でも人々の注意を引き付け、店舗名やブランド名の周知、宣伝を図ることが出来る。なお、本発明における内部表示としては、例えば、文字、記号、模様等から構成される情報が挙げられる。より具体的には、例えば、店舗のブランド名やイラスト、ロゴマーク、宣伝内容等が挙げられる。
なお、従来のような一重構造の鞄において、その外面に情報を重ねて表示するという手段も考え得るが、このような鞄では、本発明に係る鞄のような奥行き感が表現されず、デザイン性の点で劣る。
【００１０】
また、本発明に係る鞄では、前記外袋の外面に外部表示が施されていることが好ましい。
この発明によれば、外袋の外面にも外部表示が施されているので、外袋と内部表示体とを情報の表示が可能な領域として活用し、より多くの情報を表示した鞄とすることが出来るとともに、従来にない斬新なデザインの鞄とすることが出来る。
なお、本発明における外部表示としては、前記内部表示について例示したものと同様のものが挙げられる。
【００１１】
また、本発明では、前記内部表示は、前記外部表示に対応した領域と、前記外部表示から外れた領域とに施されていることが好ましい。
この発明によれば、内部表示と外部表示とが一部重なった状態で見えるので、両表示が完全に重なってしまう場合に比べて、情報を視認し易く出来る。
【００１２】
さらに、本発明では、前記内部表示体の上端側は、前記外袋の上端側が前記鞄の内側に向けて折り返されて形成される折り返し部によって覆われていることが好ましい。
この発明によれば、外袋と内部表示体の上端側の隙間から物が入り、内部表示が見難くなってしまうのを防ぐことが出来る。
【００１３】
そしてさらに、本発明では、前記内部表示体及び前記外袋の素材は不織布であることが好ましい。
この発明によれば、内部表示体及び外袋の素材は軽くて安価な不織布であり、外袋には複数の細孔が形成され、鞄は内部表示体及び外袋の二重構造となっているため、安価に製造することが出来るとともに、軽くて丈夫であるという鞄として必要な機能も付与することが出来る。
【図面の簡単な説明】
【００１４】
【図１】本発明の一実施形態に係る鞄を示す一部断面の斜視図。
【図２】当該実施形態に係る鞄を構成する外袋を示す正面図。
【図３】当該実施形態に係る鞄を構成する内部表示体を示す正面図。
【図４】当該実施形態に係る鞄を示す正面図。
【図５】当該実施形態に係る鞄の要部を示す断面図であり、図１でのＶ−Ｖ断面矢視図。
【発明を実施するための形態】
【００１５】
以下、本発明の実施の一形態を図面に基づいて説明する。
図１には、本実施形態に係る鞄１が示されている。
この鞄１は、外袋２０と、外袋２０に収容されて縫い付けられた内部表示体３０と、鞄１を把持するための把持部４０と、を備えた底側マチ付きの鞄として構成されている。本実施形態では、内部表示体３０は袋状に形成されている。
外袋２０の外面には外部表示２１が施され、袋状に形成された内部表示体３０の外面には内部表示３１が施されている。この鞄１では、外側から外部表示２１及び内部表示３１を視認することが出来るのであるが、その構造については以下に詳説する。
【００１６】
図２には、本実施形態に係る外袋２０の正面図が示されている。
図１及び図２を参照して外袋２０について説明する。
外袋２０は、ガセット折底面部２２と、このガセット折底面部２２の長辺に沿って立設される表側側面部２３と裏側側面部とで構成されている。ここで、表側側面部２３及び裏側側面部は、外部表示２１を施すための領域である外袋２０の外面となる。表側側面部２３及び裏側側面部の各上端側２４により物品収納用の開口部Ａが形成されている。表側側面部２３及び裏側側面部の左右両端が互いに折り返されて縫い付けられるとともに、表側側面部２３及び裏側側面部の各上端側２４は鞄１の内側に折り返された折り返し部２５において縫い付けられている。この折り返し部２５には、把持部４０の端部が縫い付けられている。
【００１７】
外袋２０の外面に形成された外部表示２１は、本実施形態では太線で濃く表示した斜体文字を用いた複数の数字で構成されている。
そして、外袋２０の全域には、略正方形の細孔２６が、ほぼ等間隔で碁盤目状に多数形成されている。
細孔２６の一つ一つの大きさは外部表示２１の一つの数字よりも格段に小さい。すなわち、外部表示２１の一つの数字が形成されている領域に対して、複数の細孔２６が貫通形成されている。細孔２６と外部表示２１との大きさの関係をこのように設定することで、外袋２０に対して複数の細孔２６を形成したとしても、外部表示２１を視認することが出来る。
また、細孔２６の一つ一つの大きさは、内部表示体３０に施された内部表示３１を、細孔２６を通して視認することが出来る大きさとなっている。
【００１８】
図３には、本実施形態に係る内部表示体３０の正面図が示されている。
内部表示体３０は、外袋２０と略同様の袋状に形成されており、ガセット折底面部３２と、このガセット折底面部３２の長辺に沿って立設される表側側面部３３と裏側側面部とを備えている。ここで、表側側面部３３と裏側側面部とは、内部表示３１を施すための領域である内部表示体３０の外面となる。ただし、内部表示体３０には、外袋２０の折り返し部２５に相当する部分は存在しない。
【００１９】
また、袋状の内部表示体３０は外袋２０に収容され得る寸法で形成されている。収容された内部表示体３０の表側側面部３３と裏側側面部との各上端側３４は、外袋２０の折り返し部２５においてそれぞれ縫いつけられている。そのため、内部表示体３０の各上端側３４は外袋２０の各上端側２４の折り返しによって覆われることになるので、開口部Ａを介して鞄１の中に物を収納しようとした際に、内部表示体３０と外袋２０の隙間Ｂに物が入ることを防ぐことが出来る（図５参照）。
内部表示体３０の外面に施された内部表示３１は、本実施形態では、外部表示２１とは異なる字体、色合い、太さで表示した複数のアルファベット文字によって構成されている。この内部表示３１は、外袋２０の外部から細孔２６を通して視認される。
【００２０】
外袋２０と内部表示体３０とは不織布を生地としている。ここで、用いられる不織布は、ポリプロピレン、ポリエステル、ナイロン、および生分解性樹脂のいずれか、またはこれらの混合繊維からなる熱可塑性樹脂繊維である。
【００２１】
図４は、本実施形態に係る鞄１の正面図であって、上述の外袋２０内に内部表示体３０を収容した際の、外部表示２１及び内部表示３１の見え方を説明する図である。
図４に示すように、外袋２０の外面に施した外部表示２１（数字の１〜４、１段）及び内部表示体３０の外面に施した内部表示（アルファベットのＡ〜Ｅ、３段）を視認することが出来る。
【００２２】
図５は、本実施形態に係る鞄１の要部を示す図１のＶ−Ｖ断面矢視図であって、特に鞄１の開口部Ａ周辺を一部拡大して示したものである。外部表示２１及び内部表示３１のそれぞれが一部重なって見える部分を着目して示したものである。
なお、外部表示２１と内部表示３１とが施された位置は、図の説明上配置したものであって、図１におけるＶ−Ｖ断面と必ずしも一致していない。また、図５においては折り返し部２５において縫い合わされていないが、これも図の説明のためであって、実際の鞄１においては、内部表示体３０の各上端側３４を挟んで折り返し部２５で縫い合わされている。
【００２３】
前述したが、図５に示すように、外袋２０は、各上端側２４で折り返されて折り返し部２５が形成され、内部表示体３０の各上端側３４は、当該折り返しによって覆われている。
そして、内部表示３１は、外部表示２１に対応した領域と、外部表示２１から外れた領域とに施されている。すなわち、内部表示３１は、外部表示２１に対応した領域に設けられている細孔２６Ａと、外部表示２１から外れた領域（外部表示２１が施されていない領域）に設けられている細孔２６Ｂと、を通して視認出来る位置に施されている。そのため、外部表示２１と内部表示３１とは一部、重なって見えるように施されているが、どちらの表示も視認することが出来る。
【００２４】
次に、本実施形態に係る鞄１の製造方法を説明する。
外袋２０及び内部表字体３０の生地は、どちらも矩形状である。外袋２０の生地の長辺方向の長さは、前述の折り返し部２５に応じた長さだけ内部表示体３０の生地よりも長い。また、外袋２０の生地の短辺方向の長さは、内部表示体３０の生地よりも長い。
外部表示２１を施した外袋２０の生地に対して、パンチングマシン等で細孔２６を複数形成させる。その他の方法であっても、不織布等の鞄の素材となり得るものを打ち抜いて細孔２６を形成させることが出来る方法であればよい。
外袋２０の生地に外部表示２１、内部表示体３０の生地に内部表示３１を施す。形成方法としては、例えば、オフセット印刷やシルクスクリーン印刷等の印刷法を挙げることが出来るが、この例に限定されるものではない。このように、先に細孔２６を形成し、その後、印刷によって外部表示２１を施せば、細孔２６を形成したことによって露出した不織布の断面にも印刷インキを塗布することも可能になるので、外部表示２１をより鮮明に表示させることが出来る。
その後、外袋２０の生地と内部表字体３０の生地とを重ね置き、外袋２０の生地を折り返し、この折り返した部分で外袋２０の生地の生地と内部表字体３０の生地とを縫い合わせ、折り返し部２５を形成する。
そして、折り返し部２５を形成した生地を、外部表示２１が内側になるように半分に折り畳み、さらにガセット折底面部２２及びガセット折底面部３２に応じた長さ分だけ当該半分に折り畳んだ際の折り目部分をさらに折り畳む。このようにして折り畳んだ状態で、鞄１の左右両端部に当る部分を縫い合わせる。最後に、把持部４０の端部を折り返し部２５に縫い付ける。
このようにして縫製された生地を裏返すことによって、鞄１が得られる。
【００２５】
以上より、本実施形態では、次の作用効果を奏することが出来る。
（１）鞄１には、外袋２０に収容された内部表示体３０に内部表示３１が施され、外袋２０には複数の細孔２６が設けられているので、細孔２６を通して内部表示３１を視認出来る。そのため、従来の鞄では表現することのできなかった、奥行き感が表現されたデザイン性の高い鞄１とすることが出来る。
【００２６】
（２）外袋２０の外面にも外部表示２１が施されているので、情報の表示が可能な領域として外袋２０と内部表示体３０とを活用し、より多くの情報を表示した鞄１とすることが出来るとともに、従来にない斬新なデザインの鞄とすることが出来る。
【００２７】
（３）内部表示３１は、外部表示２１に対応して設けられている細孔２６Ａと、外部表示２１が施されていない領域に設けられている細孔２６Ｂと、を通して視認出来る位置に施されているので、内部表示２１と外部表示３１とが一部重なった状態で見える。そのため、両表示２１，３１が完全に重なってしまう場合に比べて、情報を視認し易く出来る。
【００２８】
（４）外部表示２１と内部表示３１とが互いに異なる字体、色合い、太さで表示した文字で構成されているので、情報を視認し易く出来る。
【００２９】
（５）外袋２０及び内部表示体３０の素材は軽くて安価な不織布であるとともに、鞄１は外袋２０及び内部表示体３０の二重構造となっているため、鞄１は、デザイン性だけでなく、軽くて丈夫であるという機能性も備える上に、安価に製造出来る。
【００３０】
（６）内部表示体３０の上端側３４は外袋２０の折り返しによって覆われているので、鞄１の中に物を収納しようとした際に、内部表示体３０と外袋２０の隙間Ｂに物が入ることを防止出来る。そして、隙間Ｂに物が入って内部表示体３０の内部表示３１が見え難くなることを防止出来る。
【００３１】
（７）外袋２０には多数の細孔２６が形成されているので、外袋２０及び内部表示体３０の二重構造となっていても、鞄１の軽量性を確保出来る。さらに鞄１の通気性も良好である。
【００３２】
〔変形例〕
なお、本発明は前述の実施形態に限定されるものではなく、本発明の目的を達成出来る範囲での変形、改良等は本発明に含まれるものである。
例えば、外袋又は内部表示体の素材として、不織布とアルミ蒸着フィルムとを接着したものを用いても良い。この場合、鞄の外側に向けてアルミ蒸着フィルムが設けられていることが好ましい。そうすると、鞄は金属光沢をもつことになるから、鞄のデザイン性を向上させることが出来る。その他、不織布以外の素材を用いることも出来るし、外袋と内部表示体の素材をそれぞれ異なる素材とすることも出来る。
また、内部表示体は、上記実施形態では袋状に形成されている場合について説明したが、袋状に形成されていなくても外袋の裏地として縫い付けられていても良い。その他、生地ではなく、シート状のフィルム等、外袋に収容されると共に情報が表示可能な媒体であれば、内部表示体として利用出来る。
【００３３】
さらに、細孔の形状、配列及び開口サイズ、並びに外部表示及び内部表示の位置やサイズ等は、上記実施形態のものに限定されない。すなわち、外袋に施された外部表示と内部表示体に形成された内部表示とを視認することが出来るものであれば、特に限定されない。例えば、細孔の形状は、前記実施形態のような碁盤目状のように四角形が配列されたものでなくとも、多角形状、円状や楕円状、その他の任意の形状としてもよい。また、外袋に対して複数種類の形状を有した細孔を形成させて、よりデザイン性の高い鞄としてもよい。
【００３４】
そして、上記実施形態では、外袋に細孔を形成した後に、外部表示を施すと説明したが、これに限られない。すなわち、先に外部表示を施した後に、細孔を形成してもよい。
【００３５】
加えて、外部表示や内部表示を施す方法として、上記実施形態ではオフセット印刷法やスクリーン印刷法を例示したが、これに限られず、塗装法、蒸着法、箔転写法等を、生地の材質に応じて用いることも出来る。
【００３６】
なお、上記説明では、本発明の背景としてショッピングバッグ等、商品購入に付随して提供される鞄を例に挙げて説明したが、本発明が適用出来る鞄はこの例に限られず、通常の鞄販売店で販売されるような鞄に対しても本発明を適用出来る。
【産業上の利用可能性】
【００３７】
本発明は、外面に店舗のブランド名やイラスト、宣伝内容等を表示する鞄に用いることが出来る。
【符号の説明】
【００３８】
１…鞄、２０…外袋、２１…外部表示、２２…ガセット折底面部、２３…表側側面、２４…上端側、２５…部、２６…細孔、２６Ａ…外部表示２１に対応した領域に設けられている細孔、２６Ｂ…外部表示２１が施されていない領域に設けられている細孔、３０…内部表示体、３１…内部表示、３２…ガセット折底面部、３３…表側側面、３４…上端側、４０…把持部、Ａ…開口部、Ｂ…隙間
【図１】
2011121598.tif 000003
【図２】
2011121598.tif 000004
【図３】
2011121598.tif 000005
【図４】
2011121598.tif 000006
【図５】
2011121598.tif 000007